(57)【要約】【課題】本発明は、使い勝手の悪化を極力抑えて消費電力を低減し得るようにする。【解決手段】本発明は、電源回路６から液晶ディスプレイ８及びバックライト９に撮影動作用電流を供給すると共に、ストロボ１５に撮影に先立つ撮影前充電期間及び撮影時の発光直後の発光直後充電期間で充電用電流を供給し、ＣＰＵ２により発光直後充電期間でのみ液晶ディスプレイ８及びバックライト９への撮影動作用電流の供給を停止させるように電源回路６、液晶動作切替スイッチ２１及びライト動作切替スイッチ２２を制御することにより、撮影者の意図しないタイミングで液晶ディスプレイ８及びバックライト９が撮影用動作を停止させることを防止して、撮影を達成した直後の発光直後充電期間でのみ液晶ディスプレイ８及びバックライト９への撮影動作用電流の供給を停止して消費電力を低減させることができ、かくして使い勝手の悪化を極力抑えて消費電力を低減し得る。【選択図】        図３
2004219470.tif 000002
【特許請求の範囲】
【請求項１】
撮影対象の撮影の際に異なる撮影用動作を実行する複数の撮影用動作手段と、各上記撮影用動作手段にそれぞれ上記撮影用動作の実行用に撮影動作用電流を供給すると共に、上記撮影対象の撮影に合わせて発光して当該撮影対象を照明するストロボに上記撮影対象の撮影に先立つ撮影前充電期間及び上記撮影に合わせて上記発光した直後の発光直後充電期間で上記発光用に充電用電流を供給する定電圧型の電流供給手段と、
上記撮影前充電期間及び上記発光直後充電期間のうち当該発光直後充電期間でのみ少なくとも１つの上記撮影用動作手段への上記撮影動作用電流の供給を停止させるように上記電流供給手段を制御し、及び又は上記撮影動作用電流よりも低い待機動作用電流で上記撮影用動作の実行機能を限定した待機動作を実行させるように少なくとも１つの上記撮影用動作手段を制御する制御手段と
を具えることを特徴とするスチルカメラ。
【請求項２】
各上記撮影用動作手段に上記撮影用動作を実行させるか否かの動作状態を任意に選択させるための動作状態選択手段
を具え、
上記制御手段は、
上記動作状態選択手段を介して選択された上記動作状態に応じて各上記撮影用動作手段に上記撮影動作用電流を供給させ又は当該撮影動作用電流の供給を停止させるように上記電流供給手段を制御し、
上記発光直後充電期間の直前に各上記撮影用動作手段が上記撮影用動作を実行しているとき、当該発光直後充電期間でのみ少なくとも１つの上記撮影用動作手段への上記撮影動作用電流の供給を停止させるように上記電流供給手段を制御し、及び又は上記待機動作を実行させるように少なくとも１つの上記撮影用動作手段を制御する
ことを特徴とする請求項１に記載のスチルカメラ。
【請求項３】
各上記撮影用動作手段に上記撮影用動作及び上記待機動作のいずれを実行させるか否かの動作種別を任意に選択させるための動作種別選択手段
を具え、
上記制御手段は、
上記動作種別選択手段を介して選択された上記動作種別に応じて各上記撮影用動作手段に上記撮影動作用電流を供給させるように上記電流供給手段を制御し、又は上記待機動作を実行させるように各上記撮影用動作手段を制御し、
上記発光直後充電期間の直前に各上記撮影用動作手段が上記待機動作を実行しているとき、当該発光直後充電期間でのみ少なくとも１つの上記撮影用動作手段への上記待機動作用電流の供給を停止させるように上記電流供給手段を制御する
ことを特徴とする請求項１に記載のスチルカメラ。
【請求項４】
各上記撮影用動作手段は、
上記撮影用動作として上記撮影対象の撮影に関する撮影情報を表示する液晶ディスプレイと、
上記撮影用動作として上記液晶ディスプレイを上記撮影情報の表示中に照明する照明手段と、
上記撮影用動作として上記撮影対象の撮影の際に当該撮影対象を撮像する撮像手段と、
上記撮影用動作として上記撮像手段により上記撮影対象が撮像されることにより得られた撮像信号に所定のデータ処理を施すデータ処理手段と、
上記撮影用動作として上記撮影対象から撮影時に到来する撮影光を透過させるレンズを移動させて当該撮影対象を上記撮像手段の所定の結像面に結像させるレンズ駆動手段とでなる
ことを特徴とする請求項１に記載のスチルカメラ。
【請求項５】
撮影対象の撮影の際に異なる撮影用動作を実行する複数の撮影用動作手段と、各上記撮影用動作手段にそれぞれ上記撮影用動作の実行用に撮影動作用電圧を印加して撮影動作用電流を供給すると共に、上記撮影対象の撮影に合わせて発光して当該撮影対象を照明するストロボに上記撮影対象の撮影に先立つ撮影前充電期間及び上記撮影に合わせて上記発光した直後の発光直後充電期間で上記発光用に充電用電圧を印加して充電用電流を供給する可変電圧型の電流供給手段と、
上記撮影前充電期間及び上記発光直後充電期間のうち当該発光直後充電期間でのみ少なくとも１つの上記撮影用動作手段への上記撮影動作用電圧の印加を停止させて上記撮影動作用電流の供給を停止させ、及び又は少なくとも１つの上記撮影用動作手段に上記撮影用動作よりも消費電力の低い低消費電力用動作の実行用に上記撮影動作用電圧よりも低い低消費電力動作用電圧を印加させて上記撮影動作用電流よりも低い低消費電力動作用電流を供給させるように上記電流供給手段を制御する制御手段と
を具えることを特徴とするスチルカメラ。
【請求項６】
各上記撮影用動作手段に上記撮影用動作を実行させるか否かの動作状態を任意に選択させるための動作状態選択手段
を具え、
上記制御手段は、
上記動作状態選択手段を介して選択された上記動作状態に応じて各上記撮影用動作手段に上記撮影動作用電圧を印加させて上記撮影動作用電流を供給させ又は当該撮影動作用電圧の印加と共に上記撮影動作用電流の供給を停止させるように上記電流供給手段を制御し、
上記発光直後充電期間の直前に各上記撮影用動作手段が上記撮影用動作を実行しているとき、当該発光直後充電期間でのみ少なくとも１つの上記撮影用動作手段への上記撮影動作用電圧の印加を停止させて上記撮影動作用電流の供給を停止させ、及び又は少なくとも１つの上記撮影用動作手段に上記低消費電力動作用電圧を印加させて上記低消費電力動作用電流を供給させるように上記電流供給手段を制御する
ことを特徴とする請求項５に記載のスチルカメラ。
【請求項７】
各上記撮影用動作手段に上記撮影用動作及び上記低消費電力用動作のいずれを実行させるか否かの動作種別を任意に選択させるための動作種別選択手段
を具え、
上記制御手段は、
上記動作種別選択手段を介して選択された上記動作種別に応じて各上記撮影用動作手段に上記撮影動作用電圧を印加させて上記撮影動作用電流を供給させ又は上記低消費電力動作用電圧を印加させて上記低消費電力動作用電流を供給させるように上記電流供給手段を制御し、
上記発光直後充電期間の直前に各上記撮影用動作手段が上記低消費電力用動作を実行しているとき、当該発光直後充電期間でのみ少なくとも１つの上記撮影用動作手段への上記低消費電力動作用電圧の印加を停止させて上記低消費電力動作用電流の供給を停止させるように上記電流供給手段を制御する
ことを特徴とする請求項５に記載のスチルカメラ。
【請求項８】
各上記撮影用動作手段は、
上記撮影用動作として上記撮影対象の撮影に関する撮影情報を表示する液晶ディスプレイと、
上記撮影用動作として上記液晶ディスプレイを上記撮影情報の表示中に照明する照明手段と、
上記撮影用動作として上記撮影対象の撮影の際に当該撮影対象を撮像する撮像手段と、
上記撮影用動作として上記撮像手段により上記撮影対象が撮像されることにより得られた撮像信号に所定のデータ処理を施すデータ処理手段と、
上記撮影用動作として上記撮影対象から撮影時に到来する撮影光を透過させるレンズを移動させて当該撮影対象を上記撮像手段の所定の結像面に結像させるレンズ駆動手段とでなる
ことを特徴とする請求項５に記載のスチルカメラ。
【請求項９】
定電圧型の電流供給手段から、撮影対象の撮影の際に異なる撮影用動作を実行する複数の撮影用動作手段にそれぞれ上記撮影用動作の実行用に撮影動作用電流を供給すると共に、上記撮影対象の撮影に合わせて発光して当該撮影対象を照明するストロボに上記撮影対象の撮影に先立つ撮影前充電期間で上記発光用に充電用電流を供給する電流供給ステップと、
上記電流供給手段から上記ストロボに上記撮影に合わせて上記発光した直後の発光直後充電期間で上記充電用電流を供給すると共に、当該発光直後充電期間でのみ少なくとも１つの上記撮影用動作手段への上記撮影動作用電流の供給を停止させるように上記電流供給手段を制御し、及び又は上記撮影動作用電流よりも低い待機動作用電流で上記撮影用動作の実行機能を限定した待機動作を実行させるように少なくとも１つの上記撮影用動作手段を制御する制御ステップと
を具えることを特徴とするスチルカメラ制御方法。
【請求項１０】
各上記撮影用動作手段に上記撮影用動作を実行させるか否かの動作状態が任意に選択されると、当該選択された上記動作状態に応じて各上記撮影用動作手段に上記電流供給手段から上記撮影動作用電流を供給し又は上記電流供給手段からの上記撮影動作用電流の供給を停止して各上記撮影用動作手段の上記動作状態を切り替える動作状態切替ステップ
を具え、
上記制御ステップは、
上記発光直後充電期間の直前に各上記撮影用動作手段が上記撮影用動作を実行しているとき、当該発光直後充電期間でのみ少なくとも１つの上記撮影用動作手段への上記撮影動作用電流の供給を停止させるように上記電流供給手段を制御し、及び又は上記待機動作を実行させるように少なくとも１つの上記撮影用動作手段を制御する
ことを特徴とする請求項９に記載のスチルカメラ制御方法。
【請求項１１】
各上記撮影用動作手段に上記撮影用動作及び上記待機動作のいずれを実行させるか否かの動作種別が任意に選択されると、当該選択された上記動作種別に応じて各上記撮影用動作手段に上記電流供給手段から上記撮影動作用電流を供給して上記撮影用動作を実行させ又は各上記撮影用動作手段に上記待機動作を実行させて各上記撮影用動作手段の上記動作種別を切り替える動作種別切替ステップ
を具え、
上記制御ステップは、
上記発光直後充電期間の直前に各上記撮影用動作手段が上記待機動作を実行しているとき、当該発光直後充電期間でのみ少なくとも１つの上記撮影用動作手段への上記待機動作用電流の供給を停止させるように上記電流供給手段を制御する
ことを特徴とする請求項９に記載のスチルカメラ制御方法。
【請求項１２】
上記電流供給ステップは、
上記電流供給手段から、上記撮影用動作として上記撮影対象の撮影に関する撮影情報を表示する液晶ディスプレイと、上記撮影用動作として上記液晶ディスプレイを上記撮影情報の表示中に照明する照明手段と、上記撮影用動作として上記撮影対象の撮影の際に当該撮影対象を撮像する撮像手段と、上記撮影用動作として上記撮像手段により上記撮影対象が撮像されることにより得られた撮像信号に所定のデータ処理を施すデータ処理手段と、上記撮影用動作として上記撮影対象から撮影時に到来する撮影光を透過させるレンズを移動させて当該撮影対象を上記撮像手段の所定の結像面に結像させるレンズ駆動手段とでなる各上記撮影用動作手段にそれぞれ上記撮影動作用電流を供給する
ことを特徴とする請求項９に記載のスチルカメラ制御方法。
【請求項１３】
可変電圧型の電流供給手段から撮影対象の撮影の際に異なる撮影用動作を実行する複数の撮影用動作手段にそれぞれ上記撮影用動作の実行用に撮影動作用電圧を印加して撮影動作用電流を供給すると共に、上記撮影対象の撮影に合わせて発光して当該撮影対象を照明するストロボに上記撮影対象の撮影に先立つ撮影前充電期間で上記発光用に充電用電圧を印加して充電用電流を供給する電流供給ステップと、
上記電流供給手段から上記ストロボに上記撮影に合わせて上記発光した直後の発光直後充電期間で上記充電用電圧を印加して上記充電用電流を供給すると共に、当該発光直後充電期間でのみ少なくとも１つの上記撮影用動作手段への上記撮影動作用電圧の印加を停止させて上記撮影動作用電流の供給を停止させ、及び又は上記少なくとも１つの上記撮影用動作手段に上記撮影用動作よりも消費電力の低い低消費電力用動作の実行用に上記撮影動作用電圧よりも低い低消費電力動作用電圧を印加させて上記撮影動作用電流よりも低い低消費電力動作用電流を供給させるように上記電流供給手段を制御する制御ステップと
を具えることを特徴とするスチルカメラ制御方法。
【請求項１４】
各上記撮影用動作手段に上記撮影用動作を実行させるか否かの動作状態が任意に選択されると、当該選択された上記動作状態に応じて各上記撮影用動作手段に上記電流供給手段から上記撮影動作用電圧を印加して上記撮影動作用電流を供給し又は上記撮影動作用電圧の印加を停止して上記撮影動作用電流の供給を停止することにより各上記撮影用動作手段の上記動作状態を切り替える動作状態切替ステップ
を具え、
上記制御ステップは、
上記発光直後充電期間の直前に各上記撮影用動作手段が上記撮影用動作を実行しているとき、当該発光直後充電期間でのみ少なくとも１つの上記撮影用動作手段への上記撮影動作用電圧の印加を停止させて上記撮影動作用電流の供給を停止させ、及び又は少なくとも１つの上記撮影用動作手段に上記低消費電力動作用電圧の印加させて上記低消費電力動作用電流を供給させるように上記電流供給手段を制御する
ことを特徴とする請求項１３に記載のスチルカメラ制御方法。
【請求項１５】
各上記撮影用動作手段に上記撮影用動作及び上記低消費電力用動作のいずれを実行させるか否かの動作種別が任意に選択されると、当該選択された上記動作種別に応じて各上記撮影用動作手段に上記電流供給手段から上記撮影動作用電圧を印加して上記撮影動作用電流を供給し又は上記低消費電力動作用電圧を印加して上記低消費電力動作用電流を供給することにより各上記撮影用動作手段の上記動作種別を切り替える動作種別切替ステップ
を具え、
上記制御ステップは、
上記発光直後充電期間の直前に各上記撮影用動作手段が上記低消費電力用動作を実行しているとき、当該発光直後充電期間でのみ少なくとも１つの上記撮影用動作手段への上記低消費電力動作用電圧の印加を停止させて上記低消費電力動作用電流の供給を停止させるように上記電流供給手段を制御する
ことを特徴とする請求項１３に記載のスチルカメラ制御方法。
【請求項１６】
上記電流供給ステップは、
上記電流供給手段から、上記撮影用動作として上記撮影対象の撮影に関する撮影情報を表示する液晶ディスプレイと、上記撮影用動作として上記液晶ディスプレイを上記撮影情報の表示中に照明する照明手段と、上記撮影用動作として上記撮影対象の撮影の際に当該撮影対象を撮像する撮像手段と、上記撮影用動作として上記撮像手段により上記撮影対象が撮像されることにより得られた撮像信号に所定のデータ処理を施すデータ処理手段と、上記撮影用動作として上記撮影対象から撮影時に到来する撮影光を透過させるレンズを移動させて当該撮影対象を上記撮像手段の所定の結像面に結像させるレンズ駆動手段とでなる各上記撮影用動作手段にそれぞれ上記撮影動作用電流を供給する
ことを特徴とする請求項１３に記載のスチルカメラ制御方法。
【発明の詳細な説明】
【０００１】
【発明の属する技術分野】
本発明はスチルカメラに関し、例えば撮影対象を瞬間的に照明するストロボが設けられたデジタルスチルカメラ（以下、これをストロボ付デジタルスチルカメラと呼ぶ）に適用して好適なものである。
【０００２】
【従来の技術】
従来のストロボ付デジタルスチルカメラは、電源部を液晶ディスプレイ（ＬＣＤ：Ｌｉｑｕｉｄ  Ｃｒｙｓｔａｌ  Ｄｉｓｐｌａｙ）駆動用のＬＣＤバックライト回路や撮像回路等のカメラ回路とストロボ充電回路とへ動作用電流と充電用電流とを供給する電源として共用し、当該ストロボ充電回路の充電中（すなわち、電源部からストロボ充電回路への充電用電流の供給中）に電源部からカメラ回路への動作用電流の供給を停止している（例えば、特許文献１参照）。
【０００３】
【特許文献１】
特開２００１−５０６９号公報（第１頁、図１、図６、図７）
【０００４】
【発明が解決しようとする課題】
ところでかかる構成のストロボ付デジタルスチルカメラにおいては、ストロボ充電回路を例えばストロボ付デジタルスチルカメラを起動したときや、ストロボを発光させた直後、また撮影対象を撮影することにより得られたデジタル写真画像を再生する再生モードから新たに撮影対象を撮影する撮影モードに移行したとき等の種々のタイミングで充電している。
【０００５】
これによりかかるストロボ付デジタルスチルカメラにおいては、ストロボ充電回路の充電によりストロボをいつでも発光させ得る状態にし、この状態において撮影対象を撮影する際に撮像回路の露出が不足していると、その撮影に合わせてストロボを瞬間的に発光させて撮影対象を照明することにより撮影対象を適切な露出で撮影している。
【０００６】
またストロボ付デジタルスチルカメラにおいては、このような種々のタイミングでストロボ充電回路を充電する毎に比較的消費電力の大きいカメラ回路への動作用電流の供給を停止することによりストロボ付デジタルスチルカメラの消費電力を低減させている。
【０００７】
ところがかかるストロボ付デジタルスチルカメラにおいては、ストロボ充電回路を充電する毎にカメラ回路への動作用電流の供給を停止することにより、当該ストロボ付デジタルスチルカメラの起動中に撮影者の意図しない種々のタイミングで液晶ディスプレイが突然消灯することにより使い勝手がわるいという問題があった。
【０００８】
本発明は以上の点を考慮してなされたもので、使い勝手の悪化を極力抑えて消費電力を低減し得るスチルカメラを提案しようとするものである。
【０００９】
【課題を解決するための手段】
かかる課題を解決するため本発明においては、定電圧型の電流供給手段から撮影対象の撮影の際に異なる撮影用動作を実行する複数の撮影用動作手段にそれぞれ撮影用動作の実行用に撮影動作用電流を供給すると共に、撮影対象の撮影に合わせて発光して当該撮影対象を照明するストロボに撮影対象の撮影に先立つ撮影前充電期間及び撮影に合わせて発光した直後の発光直後充電期間で発光用に充電用電流を供給し、制御手段により撮影前充電期間及び発光直後充電期間のうち当該発光直後充電期間でのみ少なくとも１つの撮影用動作手段への撮影動作用電流の供給を停止させるように電流供給手段を制御し、及び又は撮影動作用電流よりも低い待機動作用電流で撮影用動作の実行機能を限定した待機動作を実行させるように少なくとも１つの撮影用動作手段を制御するようにした。
【００１０】
従って、起動中に撮影用動作手段が撮影者の意図しないタイミングで撮影用動作を突然停止させることを防止して、撮影者が撮影対象を撮影するという目的を達成した直後の発光直後充電期間においてのみ当該撮影用動作手段への撮影動作用電流の供給を停止し、及び又は少なくとも１つの撮影用動作手段に待機動作を実行させることによりこれに応じて電流供給手段から供給する撮影動作用電流をこれよりも低い待機動作用電流に下げて消費電力を低減させることができる。
【００１１】
また本発明においては、可変電圧型の電流供給手段から撮影対象の撮影の際に異なる撮影用動作を実行する複数の撮影用動作手段にそれぞれ撮影用動作の実行用に撮影動作用電圧を印加して撮影動作用電流を供給すると共に、撮影対象の撮影に合わせて発光して当該撮影対象を照明するストロボに撮影対象の撮影に先立つ撮影前充電期間及び撮影に合わせて発光した直後の発光直後充電期間で発光用に充電用電圧を印加して充電用電流を供給し、制御手段により撮影前充電期間及び発光直後充電期間のうち当該発光直後充電期間でのみ少なくとも１つの撮影用動作手段への撮影動作用電圧の印加を停止させて撮影動作用電流の供給を停止させ、及び又は少なくとも１つの撮影用動作手段に撮影用動作よりも消費電力の低い低消費電力用動作の実行用に撮影動作用電圧よりも低い低消費電力動作用電圧を印加させて撮影動作用電流よりも低い低消費電力動作用電流を供給させるように電流供給手段を制御するようにした。
【００１２】
従って、起動中に撮影用動作手段が撮影者の意図しないタイミングで撮影用動作を突然停止させることを防止して、撮影者が撮影対象を撮影するという目的を達成した直後の発光直後充電期間においてのみ当該撮影用動作手段への撮影動作用電流の供給を停止し及び又は撮影動作用電流よりも低い低消費電力動作用電流を供給して消費電力を低減させることができる。
【００１３】
【発明の実施の形態】
以下図面について、本発明の一実施の形態を詳述する。
【００１４】
図１において、１は全体として本発明を適用したストロボ付デジタルスチルカメラを示し、ＣＰＵ（Ｃｅｎｔｒａｌ  Ｐｒｏｃｅｓｓｉｎｇ  Ｕｎｉｔ  ）２がＲＯＭ（Ｒｅａｄ  Ｏｎｌｙ  Ｍｅｍｏｒｙ）３に予め格納している各種アプリケーションプログラムを読み出してＲＡＭ（Ｒａｎｄｏｍ  Ａｃｃｅｓｓ  Ｍｅｍｏｒｙ）４上で展開し、当該展開した各種アプリケーションプログラムに従って撮影用動作としてストロボ付デジタルスチルカメラ１の各回路ブロックを統括的に制御することにより撮影対象に対する撮影等の各種機能を実現している。
【００１５】
すなわちＣＰＵ２は、操作部５を介してストロボ付デジタルスチルカメラ１に対するカメラ起動命令が入力されると、これに応じて定電圧型又は可変電圧型の電源回路６を制御する。
【００１６】
これにより電源回路６は、１次電池又は２次電池でなる電池７から供給される供給電流を各回路ブロックの動作の実行にそれぞれ必要な種々の値の動作用電流に変換し、これら種々の値の動作用電流をそれぞれ対応する回路ブロックに供給して動作を実行させることによりストロボ付デジタルスチルカメラ１全体を起動させる。
【００１７】
ここで操作部５には、撮影対象を撮影する撮影モードと、当該撮影対象を撮影して得られたデジタル写真画像を再生する再生モードとを任意に選択指定させるためのモード選択キーが設けられている。
【００１８】
また操作部５には、ストロボ付デジタルスチルカメラ１に設けられた透過型の液晶ディスプレイ８と当該液晶ディスプレイ８をその背面側から照明するバックライト９とを動作させるか否か（すなわち、液晶ディスプレイ８に撮影対象の撮影に関する撮影情報等の各種情報を表示し、かつその際にバックライト９を点灯させるか否か）の動作状態を任意に選択させるための動作状態選択キーも設けられている。
【００１９】
従ってＣＰＵ２は、ストロボ付デジタルスチルカメラ１が起動すると、そのとき操作部５のモード選択キーによるモードの選択指定内容に応じて撮影モード又は再生モードのいずれか一方のモードに設定する。
【００２０】
またＣＰＵ２は、このときストロボ付デジタルスチルカメラ１の初めての起動であれば、初期設定に応じて液晶ディスプレイ８及びバックライト９を動作させる（すなわち、液晶ディスプレイ８に各種情報を表示すると共に、これに合わせてバックライト９の点灯によって得られる照明光によりその液晶ディスプレイ８を背面側から照明する）。
【００２１】
これに対してＣＰＵ２は、ストロボ付デジタルスチルカメラ１を起動させたときにこれが２度目以降の起動であれば、前回の起動停止の際に動作状態選択キーによって選択されていた動作状態と同じく液晶ディスプレイ８及びバックライト９を動作させ、又は当該液晶ディスプレイ８及びバックライト９を動作させない（すなわち、液晶ディスプレイ８及びバックライト９の両方を消灯する）ようにする。
【００２２】
因みにＣＰＵ２は、ストロボ付デジタルスチルカメラ１の起動中に操作部５において動作状態選択キーが操作されることにより動作状態の選択命令が入力されると、これに応じてそれまで動作させていた液晶ディスプレイ８及びバックライト９の動作を停止させ、又はそれまで動作を停止させていた液晶ディスプレイ８及びバックライト９の動作を再開させる。
【００２３】
ＣＰＵ２は、ストロボ付デジタルスチルカメラ１の起動の際に撮影モードに設定すると、撮影対象の撮影の際に撮影用動作として撮影対象を撮像するＣＣＤ（Ｃｈａｒｇｅ  Ｃｏｕｐｌｅｄ  Ｄｅｖｉｃｅ  ）でなる固体撮像素子１０と、当該撮影対象の撮影の際に撮影用動作として、固体撮像素子１０から与えられる撮像信号Ｓ１に所定のデータ処理を施すＤＳＰ（Ｄｉｇｉｔａｌ  Ｓｉｇｎａｌ  Ｐｒｏｃｅｓｓｏｒ）でなるデータ処理回路１１とを制御する。
【００２４】
この場合、固体撮像素子１０は、撮影対象から到来する撮像光Ｌ１をレンズ部１２の複数のレンズ（図示せず）を介して受光すると共に、所定周期でその受光している撮像光Ｌ１に応じたアナログの撮像信号Ｓ１をデータ処理回路１１に送出する。
【００２５】
データ処理回路１１は、固体撮像素子１０から順次与えられた撮像信号Ｓ１をそれぞれアナログデジタル変換した後、所定のデータ処理を施すことにより時間的に連続するデジタルの複数の静止画像データを生成し、当該生成した時間的に連続する静止画像データを撮像動画像データＤ１としてＣＰＵ２に送出する。
【００２６】
ＣＰＵ２は、データ処理回路１１から撮像動画像データＤ１が与えられると、当該撮像動画像データＤ１を構成する複数の静止画像データに基づく静止画像の輝度に応じてアクチュエータ１３を制御する。
【００２７】
アクチュエータ１３は、撮影対象の撮影の際の撮像用動作としてレンズ部１２の所定のレンズをその光軸方向に移動させることにより固体撮像素子１０の結像面となる受光面に撮影対象を結像させるようにフォーカスを調整し、かくして撮影対象に対してフォーカスを合わせた状態で固体撮像素子１０に撮像光Ｌ１に応じた撮像信号Ｓ１を生成させる。
【００２８】
またＣＰＵ２は、このとき撮影対象の撮影の際に撮影用動作として撮影情報でなる撮像動画像を表示する液晶ディスプレイ８と、当該撮影対象の撮影の際に撮影用動作として液晶ディスプレイ８をその背面側から照明するバックライト９とを動作させていると、データ処理回路１１から与えられた撮像動画像データＤ１を液晶ディスプレイ８に送出することにより、バックライト９で背面側を照明している液晶ディスプレイ８に撮像動画像データＤ１に基づく撮像動画像（すなわち、時間的に連続する複数の静止画像でなる撮像動画像）を表示する。
【００２９】
これによりＣＰＵ２は、液晶ディスプレイ８の正面側から撮像動画像を目視させると共に、バックライト９による照明でその撮像動画像の視認性を向上させ、かくして撮像動画像により撮影対象に対する撮像状態（カメラアングル等）を確認させ得るようになされている。
【００３０】
これに対してＣＰＵ２は、液晶ディスプレイ８及びバックライト９の動作を停止させていると、データ処理回路１１から与えられた撮像動画像データＤ１を液晶ディスプレイ８には送出しないことにより、例えばストロボ付デジタルスチルカメラ１に設けられているファインダを覗かせて撮影対象に対するカメラアングル等を確認させ得るようになされている。
【００３１】
そしてＣＰＵ２は、かかる撮影モード時に操作部５に設けられているシャッタキーが押下されると、撮像動画像データＤ１を構成する複数の静止画像データのうち当該シャッタキーの押下されたタイミングで生成した１枚の静止画像に相当する静止画像データをデジタル写真画像データＤ２として不揮発性メモリ等でなるメモリ１４に送出して記録する。
【００３２】
このようにしてＣＰＵ２は、撮影対象をシャッタキーの押下されたタイミングで撮影してデジタル写真画像データＤ２を得ると共に、当該撮影対象を撮影して得られたデジタル写真画像データＤ２をメモリ１４に蓄積する。
【００３３】
一方、ＣＰＵ２は、ストロボ付デジタルスチルカメラ１の起動の際に再生モードに設定し、そのときに液晶ディスプレイ８及びバックライト９を動作させると、ＲＯＭ３からこれに予め格納しているメニュー画面データＤ３を読み出して液晶ディスプレイ８に送出することにより当該液晶ディスプレイ８にメニュー画面データＤ３に基づくメニュー画面（図示せず）を表示する。
【００３４】
この状態でＣＰＵ２は、操作部５の操作に応じてメニュー画面上で再生対象のデジタル写真画像が選択されると、メモリ１４から、選択されたデジタル写真画像のデジタル写真画像データＤ２を読み出し、当該読み出したデジタル写真画像データＤ２を液晶ディスプレイ８に送出する。
【００３５】
これによりＣＰＵ２は、液晶ディスプレイ８にデジタル写真画像データＤ２に基づくデジタル写真画像を表示し、かくして液晶ディスプレイ８の正面側からデジタル写真画像を目視させる。
【００３６】
またＣＰＵ２は、ストロボ付デジタルスチルカメラ１の起動の際に再生モードに設定するものの液晶ディスプレイ８及びバックライト９を動作させていなければ、操作部５において動作状態選択キーが操作されることにより動作状態の選択命令が入力されることを待ち受ける。
【００３７】
そしてＣＰＵ２は、操作部５を介して動作状態の選択命令が入力されることによりこれに応じて液晶ディスプレイ８及びバックライト９を動作させると、上述と同様に液晶ディスプレイ８にメニュー画面を表示して再生対象のデジタル写真画像を選択させ、当該選択されたデジタル写真画像を液晶ディスプレイ８に表示する。
【００３８】
因みにＣＰＵ２は、撮影モード時に操作部５においてモード選択キーが操作されることにより再生モードが選択されると、当該撮影モードから再生モードに移行して上述した再生モード時と同様の再生処理を実行する。
【００３９】
またＣＰＵ２は、再生モード時に操作部５においてモード選択キーが操作されることにより撮影モードが選択されると、当該再生モードから撮影モードに移行して上述した撮影モード時と同様の撮影処理を実行する。
【００４０】
そしてＣＰＵ２は、操作部５を介して動作状態が選択されたときにこれに応じて液晶ディスプレイ８及びバックライト９の動作状態を変更し、撮影モード及び再生モードへの移行の際に操作部５を介して液晶ディスプレイ８及びバックライト９の動作状態の変更が指示されなければ、当該液晶ディスプレイ８及びバックライト９の動作状態を撮影モード及び再生モードへの移行に拘わらずに継続する。
【００４１】
ここでＣＰＵ２にはストロボ１５が接続され、当該ストロボ１５には充電用のコンデンサ（以下、これをストロボコンデンサと呼ぶ）や当該ストロボコンデンサに充電した充電電圧を昇圧して高電圧を得る昇圧回路、その昇圧回路で得られた高電圧を印加することにより瞬間的に発光するフラッシュライト等が設けられている。
【００４２】
そしてＣＰＵ２は、ストロボ付デジタルスチルカメラ１を起動させると、当該起動のタイミング（以下、これをカメラ起動充電開始タイミングと呼ぶ）で電源回路６及びストロボ１５を制御することにより、当該電源回路６から充電用の所定値の充電用電流をストロボ１５に供給し始めてストロボコンデンサの充電を開始する。
【００４３】
この後ＣＰＵ２は、ストロボコンデンサを規定の充電電圧レベルとなる満充電まで充電してストロボ１５から充電の完了が通知されると、これに応じて電源回路６を制御してストロボ１５への充電用電流の供給を停止させることにより当該ストロボコンデンサの充電を終了する。
【００４４】
またＣＰＵ２は、再生モードから撮影モードに移行したタイミング（以下、これをモード移行充電開始タイミングと呼ぶ）でも電源回路６及びストロボ１５を同様に制御することによりストロボコンデンサを満充電する。
【００４５】
さらにＣＰＵ２は、撮影モード時に撮影対象の撮影に合わせてフラッシュライトを瞬間的に発光させた直後のタイミング（以下、これを発光直後充電開始タイミングと呼ぶ）でも同様に電源回路６及びストロボ１５を制御することによりストロボコンデンサを満充電する。
【００４６】
ところでストロボコンデンサに満充電によって蓄えられた電荷は、満充電の後にそのまま放置しておくと、フラッシュライトの発光に使用されるまでの時間経過に伴って自然放出する。
【００４７】
このためＣＰＵ２は、カメラ起動充電開始タイミングからストロボコンデンサを満充電するまでの期間（以下、これをカメラ起動時充電期間と呼ぶ）や、モード移行充電開始タイミングからストロボコンデンサを満充電するまでの期間（以下、これをモード移行時充電期間と呼ぶ）、発光直後充電開始タイミングからストロボコンデンサを満充電するまでの期間（以下、これを発光直後充電期間と呼ぶ）においてストロボコンデンサを満充電しても、これらカメラ起動時充電期間やモード移行時充電期間、発光直後充電期間の終了から再びモード移行充電開始タイミングや発光直後充電開始タイミングに到達するまでの間に、定期的な所定のタイミング（以下、これを定期的充電開始タイミングと呼ぶ）で同様に電源回路６及びストロボ１５を制御することによりストロボコンデンサに対して電荷の自然放出を補うように満充電している。
【００４８】
そして操作部５には、撮影対象を撮影するときに、ストロボ１５に設けられたフラッシュライトを自動で発光させる自動発光モードと、当該フラッシュライトを手動で発光させる手動発光モードとを任意に選択させるための発光モード選択キーが設けられている。
【００４９】
従ってＣＰＵ２は、撮影モード時に自動発光モードが選択されていると、データ処理回路１１から撮像動画像データＤ１として与えられた静止画像データに基づく静止画像の輝度等に応じて固体撮像素子１０の露出値を検出し、当該検出した露出値を予め設定された所定の閾値と比較することにより当該固体撮像素子１０の露出値が所定の閾値よりも高いか又は低いかを監視する。
【００５０】
ＣＰＵ２は、固体撮像素子１０の露出値を監視している状態（以下、これを露出値監視状態と呼ぶ）で当該露出値が所定の閾値よりも低いときに操作部５のシャッタキーが押下されると、そのタイミングでストロボ１５を制御してフラッシュライトを瞬間的に発光させる。
【００５１】
これによりＣＰＵ２は、シャッタキーが押下されたタイミングでフラッシュライトの発光により撮影対象を照明し、かくして夜間や室内等の比較的暗い撮影状況であっても固体撮像素子１０の露出不足を防止して適切な露出で撮影対象を撮影する。
【００５２】
またＣＰＵ２は、露出値監視状態で固体撮像素子１０の露出値が所定の閾値よりも高いときに操作部５のシャッタキーが押下されると、そのときには固体撮像素子１０の露出が十分であるため、ストロボ１５を制御せずにフラッシュライトを発光させないようにする。
【００５３】
これによりＣＰＵ２は、晴天の野外等の比較的明るい撮影状況において固体撮像素子１０の露出が故意にオーバすることを防止して撮影対象を撮影する。
【００５４】
一方、ＣＰＵ２は、撮影モード時に手動発光モードが選択されていると、操作部５のシャッタキーが押下されることを待ち受け、当該シャッタキーが押下されると、そのタイミングでストロボ１５を制御することによりフラッシュライトを瞬間的に発光させて撮影対象を照明する。
【００５５】
これによりＣＰＵ２は、手動発光モードが選択されている間はシャッタキーが押下される毎にフラッシュライトを発光させて撮影対象を照明し、撮影状況等に応じた撮影者の判断で固体撮像素子１０の露出不足を防止して撮影対象を撮影する。
【００５６】
このようにしてＣＰＵ２は、カメラ起動時充電期間、モード移行時充電期間、定期的充電開始タイミングからストロボコンデンサを満充電するまでの期間（以下、これを定期的充電期間と呼ぶ）の撮影対象の撮影に先立つ３種類の充電期間（以下、これら３種類のカメラ起動時充電期間、モード移行時充電期間及び定期的充電期間をまとめて撮影前充電期間と呼ぶ）においてストロボ１５のストロボコンデンサを予め満充電して当該満充電の状態を極力維持することにより、自動発光モードや手動発光モードにおいてシャッタキーが押下されたタイミングでフラッシュライトを適確に発光させ得るようになされている。
【００５７】
またＣＰＵ２は、撮影モード時に撮影対象の撮影に合わせてフラッシュライトを瞬間的に発光させても、当該発光の直後の発光直後充電期間においてストロボコンデンサを満充電することにより、引き続き撮影対象の撮影に合わせてフラッシュライトを発光させる場合に備えることができる。
【００５８】
さらにＣＰＵ２は、撮影対象に対する１度目の撮影から次の撮影までに比較的時間が経過した場合、発光直後充電期間におけるストロボコンデンサの満充電に加えて、再び撮影対象の撮影に先立つモード移行時充電期間や定期的充電期間においてもストロボコンデンサを満充電することにより当該満充電の状態を極力維持することができる。
【００５９】
ところでＣＰＵ２は、図２に示すようにカメラ起動時充電期間、モード移行時充電期間、発光直後充電期間及び定期的充電期間には、電源回路６及びストロボ１５間の電流供給線の途中に設けられた充電切替スイッチ２０を制御して当該電源回路６を充電切替スイッチ２０及び電流供給線を介してストロボ１５に電気的に接続することにより電源回路６から供給する充電用電流によってストロボコンデンサを充電する。
【００６０】
またＣＰＵ２は、カメラ起動時充電期間、モード移行時充電期間、発光直後充電期間及び定期的充電期間以外では充電切替スイッチ２０を制御して電源回路６及びストロボ１５間を電気的に遮断することによりストロボコンデンサの充電を確実に停止する。
【００６１】
これに加えてＣＰＵ２は、液晶ディスプレイ８及びバックライト９を動作させるように動作状態が選択されているときには、電源回路６及び液晶ディスプレイ８間の電流供給線の途中に設けられた液晶動作切替スイッチ２１と、当該電源回路６及びバックライト９間の電流供給線の途中に設けられたライト動作切替スイッチ２２とを制御する。
【００６２】
これによりＣＰＵ２は、電源回路６を液晶動作切替スイッチ２１及び電流供給線を介して液晶ディスプレイ８に電気的に接続すると共に、ライト動作切替スイッチ２２及び電流供給線を介してバックライト９に電気的に接続し、かくしてこれら液晶ディスプレイ８及びバックライト９を電源回路６から供給した動作用電流によって動作させる。
【００６３】
またＣＰＵ２は、液晶ディスプレイ８及びバックライト９を動作させないように動作状態が選択されているときには、液晶動作切替スイッチ２１及びライト動作切替スイッチ２２を制御して電源回路６及び液晶ディスプレイ８間と当該電源回路６及びバックライト９間とをそれぞれ電気的に遮断することによりこれら液晶ディスプレイ８及びバックライト９への動作用電流の供給を停止して動作を停止させる。
【００６４】
そしてＣＰＵ２は、ストロボコンデンサの充電の際に電源回路６から比較的高い所定値の充電用電流をストロボ１５に供給し、また液晶ディスプレイ８及びバックライト９を動作させる際にも電源回路６からそれぞれ比較的高い値の動作用電流を液晶ディスプレイ８及びバックライト９に供給している。
【００６５】
従ってストロボ付デジタルスチルカメラ１では、電源回路６を介してストロボ１５と液晶ディスプレイ８及びバックライト９との両方に同時に充電用電流と動作用電流とを供給すると、消費電力が比較的大きくなる。
【００６６】
このためＣＰＵ２は、カメラ起動時充電期間、モード移行時充電期間、発光直後充電期間及び定期的充電期間のうち撮影モードにおける当該発光直後充電期間のみについては、その際に液晶ディスプレイ８及びバックライト９を動作（以下、これを撮影モード時の動作として特に撮影用動作と呼ぶ）させるように動作状態が選択されていると、液晶動作切替スイッチ２１及びライト動作切替スイッチ２２を制御して電源回路６と液晶ディスプレイ８及びバックライト９との間を電気的に遮断することにより当該電源回路６から液晶ディスプレイ８及びバックライト９への動作用電流（以下、これを撮影モードにおける撮影用動作の実行用として特に撮影動作用電流と呼ぶ）の供給を停止してこれら液晶ディスプレイ８及びバックライト９の撮影用動作を強制的に停止させる。
【００６７】
これによりＣＰＵ２は、発光直後充電期間については電源回路６からストロボ１５に充電用電流を供給するものの、これと同時に電源回路６から液晶ディスプレイ８及びバックライト９にそれぞれ撮影動作用電流を供給することを回避してストロボ付デジタルスチルカメラ１の消費電力を低減させている。
【００６８】
そして発光直後充電期間は、撮影者に撮影対象を撮影するという目的を達成させた直後の充電期間であり、今後の撮影に備えてストロボコンデンサを再び充電することを撮影者に容易に認識させ易く、これに伴いその充電中に消費電力を抑えるために液晶ディスプレイ８及びバックライト９の撮影用動作を強制的に停止させることも比較的容易に認識させ得る充電期間でもある。
【００６９】
従ってＣＰＵ２は、撮影モード時の発光直後充電期間においてストロボコンデンサを充電する際に液晶ディスプレイ８及びバックライト９を撮影用動作させるように動作状態が選択されていると、その撮影用動作を強制的に停止させるものの、発光直後充電期間における液晶ディスプレイ８及びバックライト９の撮影用動作の強制停止（すなわち、消灯）に対する違和感を低減させている。
【００７０】
またＣＰＵ２は、発光直後充電期間を除く撮影前充電期間（すなわち、カメラ起動時充電期間、モード移行時充電期間及び定期的充電期間）については、その際に液晶ディスプレイ８及びバックライト９を動作させるように動作状態が選択されていると、液晶動作切替スイッチ２１及びライト動作切替スイッチ２２を制御して電源回路６と液晶ディスプレイ８及びバックライト９との間を電気的に接続することにより当該電源回路６から液晶ディスプレイ８及びバックライト９に動作用電流を供給して動作させる。
【００７１】
この場合、ＣＰＵ２は、撮影前充電期間において電源回路６からストロボ１５と液晶ディスプレイ８及びバックライト９との両方に同時に充電用電流と動作用電流とを供給することによりストロボ付デジタルスチルカメラ１の消費電力を比較的大きくしている。
【００７２】
しかしながらカメラ起動充電開始タイミング、モード移行充電開始タイミング及び定期的充電開始タイミング（以下、これらをまとめて撮影前充電開始タイミングと呼ぶ）は、ストロボ付デジタルスチルカメラ１に対して予め設定された充電開始タイミングであり、撮影者に特に教えられているわけではないことにより、撮影者に充電の開始を認識させ難い充電開始タイミングでもある。
【００７３】
従ってＣＰＵ２は、撮影前充電期間において消費電力が比較的大きくなっても液晶ディスプレイ８及びバックライト９の動作を強制的には停止させないことにより、例えばストロボ付デジタルスチルカメラ１の起動直後に撮影者にとっては当該ストロボ付デジタルスチルカメラ１を起動させたつもりでも液晶ディスプレイ８及びバックライト９が点灯せず、また再生モード時及び撮影モード時に液晶ディスプレイ８及びバックライト９が定期的に突然消灯する等して撮影者にストロボ付デジタルスチルカメラ１が故障したのではないかというような疑念を何ら抱かせることなく当該ストロボ付デジタルスチルカメラ１を使用させることができる。
【００７４】
因みにＣＰＵ２は、カメラ起動時充電期間、モード移行時充電期間、発光直後充電期間及び定期的充電期間においてストロボコンデンサを充電する際に液晶ディスプレイ８及びバックライト９の動作を停止させるように動作状態が選択されていると、当該液晶ディスプレイ８及びバックライト９の動作を停止させたままの状態にする。
【００７５】
ここで実際上ＣＰＵ２（図２）は、操作部５を介して入力されたカメラ起動命令に応じてストロボ付デジタルスチルカメラ１を起動させると、ＲＯＭ３に予め格納している動作制御処理プログラムを読み出してＲＡＭ４上で展開することにより、当該展開した動作制御処理プログラムに従って図３に示す動作制御処理手順ＲＴ１に開始ステップから入ってステップＳＰ１に移る。
【００７６】
ステップＳＰ１においてＣＰＵ２は、この時点に液晶ディスプレイ８及びバックライト９に対して選択されている動作状態の情報（すなわち、液晶ディスプレイ８及びバックライト９の動作の有無の情報）をＲＡＭ４に記憶して、次のステップＳＰ２に移る。
【００７７】
ステップＳＰ２においてＣＰＵ２は、ストロボコンデンサの充電開始タイミングに到達したか否かを判断する。
【００７８】
このステップＳＰ２において肯定結果が得られると、このことはこのときストロボ付デジタルスチルカメラ１の起動によりストロボコンデンサの充電開始タイミングとしてカメラ起動充電開始タイミングに到達したことを表しており、このときＣＰＵ２は続くステップＳＰ３に移る。
【００７９】
ステップＳＰ３においてＣＰＵ２は、ステップＳＰ２において到達したと判断した充電開始タイミングが発光直後充電開始タイミングであるか否かを判断する。
【００８０】
このステップＳＰ３において否定結果が得られると、このことはステップＳＰ２において到達した充電開始タイミングが発光直後充電開始タイミングとは異なる撮影前充電開始タイミングである（すなわち、カメラ起動充電開始タイミング、モード移行充電開始タイミング、定期的充電開始タイミングのうちこの場合はカメラ起動充電開始タイミングである）ことを表しており、このときＣＰＵ２はステップＳＰ４に移る。
【００８１】
ステップＳＰ４においてＣＰＵ２は、カメラ起動時充電期間における液晶ディスプレイ８及びバックライト９の動作状態としてカメラ起動充電開始タイミング直前の動作状態を維持して、続くステップＳＰ５に移る。
【００８２】
ステップＳＰ５においてＣＰＵ２は、電源回路６、ストロボ１５及び充電切替スイッチ２０を制御して電源回路６から充電切替スイッチ２０を介してストロボ１５に充電用電流を供給し始めることによりストロボコンデンサの充電を開始して、ステップＳＰ６に移る。
【００８３】
ステップＳＰ６においてＣＰＵ２は、ストロボコンデンサを満充電したか否かを判断する。
【００８４】
このステップＳＰ６において否定結果が得られると、このことはストロボコンデンサが充電中であることによりストロボ１５からＣＰＵ２に対して当該ストロボコンデンサの充電の完了が未だ通知されてはいないことを表しており、このときＣＰＵ２はステップＳＰ６においてストロボ１５からストロボコンデンサの充電の完了が通知されることを待ち受ける。
【００８５】
そしてステップＳＰ６において肯定結果が得られると、このことはＣＰＵ２に対してストロボ１５からストロボコンデンサを満充電して充電の完了が通知されたことを表しており、このときＣＰＵ２はステップＳＰ７に移る。
【００８６】
ステップＳＰ７においてＣＰＵ２は、ストロボ付デジタルスチルカメラ１に対する起動停止が要求されたか否かを判断する。
【００８７】
このステップＳＰ７において否定結果が得られると、このことは操作部５を介してストロボ付デジタルスチルカメラ１に対する起動停止命令が未だ入力されてはいないことを表しており、このときＣＰＵ２はステップＳＰ１に戻る。
【００８８】
ステップＳＰ１においてＣＰＵ２は、この時点の液晶ディスプレイ８及びバックライト９の動作状態の情報をＲＡＭ４に記憶してステップＳＰ２に移り、再びストロボコンデンサの充電開始タイミングに到達したか否かを判断する。
【００８９】
このステップＳＰ２において否定結果が得られると、このことはストロボコンデンサの充電開始タイミングとしてモード移行充電開始タイミング、発光直後充電開始タイミング及び定期的充電開始タイミングのいずれにも未だ到達してはいないことを表しており、このときＣＰＵ２はステップＳＰ１に戻る。
【００９０】
この場合、ＣＰＵ２は、この後ステップＳＰ２において肯定結果を得るまでの間はステップＳＰ１−ＳＰ２の処理を循環的に繰り返すことにより、操作部５を介して動作状態の選択命令が入力される毎にこれに応じて液晶ディスプレイ８及びバックライト９の動作状態を変更し、ＲＡＭ４に記憶している動作状態の情報を上書きして更新しながらステップＳＰ２において肯定結果を得ること、すなわち充電開始タイミングに到達することを待ち受ける。
【００９１】
ステップＳＰ２において肯定結果が得られると、このことはストロボコンデンサの充電開始タイミングとしてモード移行充電開始タイミング、発光直後充電開始タイミング、定期的充電開始タイミングのうちのいずれかに到達したことを表しており、このときＣＰＵ２はステップＳＰ３に移る。
【００９２】
ステップＳＰ３においてＣＰＵ２は、ステップＳＰ２において到達したと判断した充電開始タイミングが例えばモード移行充電開始タイミング及び定期的充電開始タイミングのうちのいずれかであることから否定結果を得ると、続くステップＳＰ４に移り、モード移行時充電期間又は定期的充電期間における液晶ディスプレイ８及びバックライト９の動作状態としてモード移行充電開始タイミング又は定期的充電開始タイミングの直前の動作状態を維持して、続くステップＳＰ５に移る。
【００９３】
そしてＣＰＵ２は、上述と同様にステップＳＰ５−ＳＰ６の処理を順次実行してステップＳＰ７に移り、当該ステップＳＰ７において再び否定結果を得ると、ステップＳＰ１に戻る。
【００９４】
このようにしてＣＰＵ２は、ステップＳＰ３又はステップＳＰ７において肯定結果が得られるまでの間はステップＳＰ１−ＳＰ２−ＳＰ３−ＳＰ４−ＳＰ５−ＳＰ６−ＳＰ７の処理を循環的に繰り返すことにより撮影前充電期間でなるカメラ起動時充電期間、モード移行時充電期間及び定期的充電期間においてそれぞれストロボコンデンサを満充電する。
【００９５】
一方、ステップＳＰ３において肯定結果が得られると、このことはステップＳＰ２において到達した充電開始タイミングが撮影対象の撮影に合わせてフラッシュライトを瞬間的に発光させた直後の発光直後充電開始タイミングであることを表しており、このときＣＰＵ２はステップＳＰ８に移る。
【００９６】
ステップＳＰ８においてＣＰＵ２は、発光直後充電開始タイミングの直前に液晶ディスプレイ８及びバックライト９を撮影用動作させていれば、電源回路６、液晶ディスプレイ８、バックライト９、液晶動作切替スイッチ２１及びライト動作切替スイッチ２２を制御して当該液晶ディスプレイ８及びバックライト９への撮影動作用電流の供給を停止して撮影用動作を強制的に停止させ、当該撮影用動作の停止を発光直後充電期間における液晶ディスプレイ８及びバックライト９の動作状態として維持して、ステップＳＰ９に移る。
【００９７】
またＣＰＵ２は、発光直後充電開始タイミングの直前にすでに液晶ディスプレイ８及びバックライト９の撮影用動作を停止させていれば、当該撮影用動作の停止をそのまま発光直後充電期間における液晶ディスプレイ８及びバックライト９の動作状態として維持して、続くステップＳＰ９に移る。
【００９８】
ステップＳＰ９においてＣＰＵ２は、電源回路６、ストロボ１５及び充電切替スイッチ２０を制御して電源回路６から充電切替スイッチ２０を介してストロボ１５に充電用電流を供給し始めることによりストロボコンデンサの充電を開始して、ステップＳＰ１０に移る。
【００９９】
ステップＳＰ１０においてＣＰＵ２は、ストロボコンデンサを満充電したか否かを判断する。
【０１００】
このステップＳＰ１０において否定結果が得られると、このことはストロボコンデンサが充電中であることによりストロボ１５からＣＰＵ２に対して充電の完了が未だ通知されてはいないことを表しており、このときＣＰＵ２はステップＳＰ１０においてストロボ１５からストロボコンデンサの充電の完了が通知されることを待ち受ける。
【０１０１】
そしてステップＳＰ１０において肯定結果が得られると、このことはＣＰＵ２に対してストロボ１５からストロボコンデンサを満充電して充電の完了が通知されたことにより発光直後充電期間が終了したことを表しており、このときＣＰＵ２はステップＳＰ１１に移る。
【０１０２】
ステップＳＰ１１においてＣＰＵ２は、ＲＡＭ４から液晶ディスプレイ８及びバックライト９に対する最新の動作状態の情報を読み出し、その動作状態の情報に基づいて、発光直後充電開始タイミングの直前に液晶ディスプレイ８及びバックライト９を撮影用動作させていれば（すなわち、発光直後充電期間に液晶ディスプレイ８及びバックライト９の撮影用動作を強制的に停止させていれば）、電源回路６、液晶ディスプレイ８、バックライト９、液晶動作切替スイッチ２１及びライト動作切替スイッチ２２を制御することにより当該液晶ディスプレイ８及びバックライト９に再び撮影動作用電流を供給して撮影用動作を再開させ、ステップＳＰ７に移る。
【０１０３】
またＣＰＵ２は、動作状態の情報に基づいて、発光直後充電開始タイミングの直前にすでに液晶ディスプレイ８及びバックライト９の撮影用動作を停止させていれば（すなわち、発光直後充電期間に液晶ディスプレイ８及びバックライト９の撮影用動作の停止をそのまま継続していれば）、当該液晶ディスプレイ８及びバックライト９の撮影用動作をそのまま停止させてステップＳＰ７に移る。
【０１０４】
そしてステップＳＰ７おいて肯定結果が得られると、このことは操作部５を介してストロボ付デジタルスチルカメラ１に対する起動停止命令が入力されたことを表しており、このときＣＰＵ２はステップＳＰ１２に移ってこの動作制御処理手順ＲＴ１を終了する。
【０１０５】
なおこの実施の形態の場合、ＣＰＵ２は、撮影前充電期間でなるカメラ起動時充電期間、モード移行時充電期間及び定期的充電期間に操作部５を介して液晶ディスプレイ８及びバックライト９に対する動作状態の選択命令が入力されると、これを受け付けて、それまで動作させていた液晶ディスプレイ８及びバックライト９の動作を停止させ、又はそれまで動作を停止させていた液晶ディスプレイ８及びバックライト９を動作させる。
【０１０６】
またＣＰＵ２は、発光直後充電期間に操作部５を介して液晶ディスプレイ８及びバックライト９に対する動作状態の選択命令が入力されると、これを受け付けずに液晶ディスプレイ８及びバックライト９に対して発光直後充電開始タイミングに設定した動作状態（撮影用動作を強制的に停止した状態又は撮影用動作を停止したままの状態）を発光直後充電期間で維持し、当該発光直後充電期間の終了後に発光直後充電開始タイミングの直前の動作状態に戻す。
【０１０７】
これによりＣＰＵ２は、発光直後充電期間において液晶ディスプレイ８及びバックライト９の撮影用動作を確実に停止させることができる。
【０１０８】
以上の構成において、このストロボ付デジタルスチルカメラ１は、カメラ起動充電開始タイミング、モード移行充電開始タイミング、発光直後充電開始タイミング及び定期的充電開始タイミングでそれぞれストロボコンデンサの充電を開始し、これらカメラ起動充電開始タイミング、モード移行充電開始タイミング、発光直後充電開始タイミング及び定期的充電開始タイミングに続くカメラ起動時充電期間、モード移行時充電期間、発光直後充電期間及び定期的充電期間においてそれぞれストロボコンデンサを満充電まで充電する。
【０１０９】
そしてストロボ付デジタルスチルカメラ１は、液晶ディスプレイ８及びバックライト９の動作状態を撮影者の選択に応じて切り替えるものの、発光直後充電開始タイミングの直前に液晶ディスプレイ８及びバックライト９に撮影動作用電流を供給して撮影用動作させているときにのみ、当該発光直後充電開始タイミングに続く発光直後充電期間においてその液晶ディスプレイ８及びバックライト９への撮影動作用電流の供給を停止させて当該液晶ディスプレイ８及びバックライト９の撮影用動作を強制的に停止させるようにした。
【０１１０】
従ってこのストロボ付デジタルスチルカメラ１は、発光直後充電期間においてストロボ１５にストロボコンデンサを充電するための比較的高い充電用電流を供給するものの、そのとき液晶ディスプレイ８及びバックライト９への比較的高い撮影動作用電流の供給を停止することにより当該発光直後充電期間における液晶ディスプレイ８及びバックライト９の電力の消費をなくし、かくしてストロボ付デジタルスチルカメラ１の消費電力を低減させることができる。
【０１１１】
ここでストロボ付デジタルスチルカメラ１は、発光直後充電期間が撮影者にとって撮影対象を撮影するという目的を達成した直後であり、その撮影直後（すなわち、撮影対象の撮影に合わせてフラッシュライトを瞬間的に発光させた直後）の発光直後充電期間で今後の撮影に備えてストロボコンデンサを再び充電することを容易に認識させことができる。
【０１１２】
このためストロボ付デジタルスチルカメラ１は、かかる発光直後充電期間において当該ストロボ付デジタルスチルカメラ１の消費電力を低減させるために液晶ディスプレイ８及びバックライト９への撮影動作用電流の供給を停止させることもストロボコンデンサの充電と合わせて容易に認識させることができ、かくして撮影対象に対するストロボ１５を用いた撮影直後の発光直後充電期間において撮影者に何ら違和感を生じさせずに液晶ディスプレイ８及びバックライト９の撮影用動作を強制的に停止させることができる。
【０１１３】
ところでストロボ付デジタルスチルカメラ１は、再生モード時にデジタル写真画像を液晶ディスプレイ８に表示して見せることができると共に、撮影モード時にも撮像動画像を液晶ディスプレイ１０に表示して見せることができる。
【０１１４】
このためストロボ付デジタルスチルカメラ１は、発光直後充電期間にのみ液晶ディスプレイ８及びバックライト９の撮影用動作を強制的に停止させ、当該発光直後充電期間以外の撮影前充電期間（すなわち、カメラ起動時充電期間、モード移行時充電期間及び定期的充電期間）においては液晶ディスプレイ８及びバックライト９の動作を強制的には停止しないことにより、当該液晶ディスプレイ８及びバックライト９が撮影者の意図しないタイミングで突然かつ度々消えて使い勝手が著しく損なわれることを防止することができる。
【０１１５】
さらにストロボ付デジタルスチルカメラ１は、発光直後充電期間以外の撮影前充電期間（カメラ起動時充電期間、モード移行時充電期間及び定期的充電期間）を含む起動中に液晶ディスプレイ８及びバックライト９の動作状態を任意に選択させることにより、当該液晶ディスプレイ８及びバックライト９の動作を停止させるように選択されれば、これに応じて液晶ディスプレイ８及びバックライト９への動作用電流の供給を停止させて消費電力を低減させることができると共に、特に撮影前充電期間において液晶ディスプレイ８及びバックライト９の動作を停止させるように選択されていれば、その撮影前充電期間において一時的に消費電力が増加することも合わせて防止することができる。
【０１１６】
以上の構成によれば、撮影前充電期間及び発光直後充電期間でそれぞれストロボコンデンサを充電し、当該発光直後充電期間においてのみ液晶ディスプレイ８及びバックライト９への撮影動作用電流の供給を停止して当該液晶ディスプレイ８及びバックライト９の撮影用動作を強制的に停止させるようにしたことにより、起動中に液晶ディスプレイ８及びバックライト９がストロボコンデンサの充電のために突然かつ度々消えることを防止して発光直後充電期間においてのみ液晶ディスプレイ８及びバックライト９への撮影動作用電流の供給を停止して消費電力を低減させることができ、かくして使い勝手の悪化を極力抑えて消費電力を低減し得るストロボ付デジタルスチルカメラを実現することができる。
【０１１７】
なお上述の実施の形態においては、発光直後充電期間において液晶ディスプレイ８及びバックライト９への撮影動作用電流の供給を停止するようにした場合について述べたが、本発明はこれに限らず、図２との対応部分に同一符号を付した図４に示すように、ＣＰＵ３０により発光直後充電期間において液晶動作切替スイッチ２１及びライト動作切替スイッチ２２と共に、電源回路６及び固体撮像素子１０間の電流供給線の途中に設けられた撮像素子動作切替スイッチ３１と、電源回路６及びデータ処理回路１１間の電流供給線の途中に設けられた処理回路動作切替スイッチ３２と、電源回路６及びアクチュエータ１３間の電流供給線の途中に設けられたアクチュエータ動作切替スイッチ３３とを制御してこれら液晶ディスプレイ８、バックライト９、固体撮像素子１０、データ処理回路１１及びアクチュエータ１３を電源回路６から電気的に遮断することにより当該液晶ディスプレイ８、バックライト９、固体撮像素子１０、データ処理回路１１及びアクチュエータ１３への撮影動作用電流の供給を一括して停止させるようにしても良い。
【０１１８】
このようにすれば、発光直後充電期間において液晶ディスプレイ８及びバックライト９に加えて固体撮像素子１０、データ処理回路１１及びアクチュエータ１３についても電力の消費をなくすことができ、上述した実施の形態に比べてストロボ付デジタルスチルカメラの消費電力を大幅に低減させることができる。
【０１１９】
ところで図５に示すように、液晶ディスプレイ８、バックライト９、固体撮像素子１０及びアクチュエータ１３は、それぞれ撮影用動作の実行に必要な撮影動作用電流の値が比較的高いことにより発光直後充電期間においてこれら液晶ディスプレイ８、バックライト９、固体撮像素子１０及びアクチュエータ１３のいずれへの撮影動作用電流の供給を停止させても、消費電力を低減させて電池７を比較的長い時間使用することができる。
【０１２０】
また透過型の液晶ディスプレイ８に替えて反射型の液晶ディスプレイを用いると共に、これに応じてバックライト９に替えて反射型の液晶ディスプレイを正面側から照明するフロントライトを用いる場合でも、これら反射型の液晶ディスプレイ及びフロントライトに供給する撮影動作用電流の値が比較的高いことにより、発光直後充電期間においてこれら反射型の液晶ディスプレイ及びフロントライトのいずれへの撮影動作用電流の供給を停止させても、消費電力を低減させて電池７を比較的長い時間使用することができる。
【０１２１】
さらにデータ処理回路１１については、液晶ディスプレイ８等に比べて撮影用動作の実行に必要な撮影動作用電流の値が低いことにより、発光直後充電期間においてそのデータ処理回路１１のみへの撮影動作用電流の供給を停止させると、当該液晶ディスプレイ８等への撮影動作用電流の供給を停止させた場合ほどではないが電池７の使用可能な時間を延ばすことができる。
【０１２２】
ただしこれら透過型の液晶ディスプレイ８、反射型の液晶ディスプレイ、バックライト９、フロントライト、固体撮像素子１０、データ処理回路１１及びアクチュエータ１３は、一旦、撮影動作用電流の供給が停止されて撮影用動作を停止した後に撮影用動作を再開する場合、撮影用動作の実行用の初期設定が必要となり撮影用動作の停止から当該撮影用動作を再開するまでの応答性（レスポンス）がそれぞれ異なる。
【０１２３】
実際にバックライト９やフロントライトは撮影用動作の停止から比較的短時間で撮影用動作を再開し得るものの、透過型の液晶ディスプレイ８や反射型の液晶ディスプレイ、アクチュエータ１３はバックライト等に比べて撮影用動作の停止から撮影用動作を再開するまでの時間が長く、固体撮像素子１０やデータ処理回路１１はこれら透過型の液晶ディスプレイ８等よりも撮影用動作の停止から撮影用動作を再開するまでの時間がさらに長い。
【０１２４】
従って発光直後充電期間においては、これら透過型の液晶ディスプレイ８（又は反射型の液晶ディスプレイ）、バックライト９（又はフロントライト）、固体撮像素子１０、データ処理回路１１及びアクチュエータ１３の全てへの撮影動作用電流の供給を一括して停止させても良いし、これらの撮影用動作の実行に要する撮影動作用電流の値（すなわち、図中の電池寿命効果に対応する）及び又は停止から撮影用動作に完全に移行するまでの時間（すなわち、図中のレスポンス効果に対応する）に応じて透過型の液晶ディスプレイ８（又は反射型の液晶ディスプレイ）、バックライト９（又はフロントライト）、固体撮像素子１０、データ処理回路１１及びアクチュエータ１３のうち少なくとも１つに対して撮影動作用電流の供給を停止させても良い。
【０１２５】
そしてこのように発光直後充電期間において、１又は複数のいずれの回路ブロック（すなわち、透過型の液晶ディスプレイ８（又は反射型の液晶ディスプレイ）、バックライト９（又はフロントライト）、固体撮像素子１０、データ処理回路１１及びアクチュエータ１３）への撮影動作用電流の供給を停止させるかについては、ストロボ付デジタルスチルカメラ１に対して予め設定していても良いし、撮影者に任意に選択させても良い。
【０１２６】
また図５に示すように、ストロボ付デジタルスチルカメラ１に定電圧型の電源回路６を用いた場合、発光直後充電期間において、ＣＰＵ２（３０）が自己と、透過型の液晶ディスプレイ８（又は反射型の液晶ディスプレイ）、バックライト９（又はフロントライト）、固体撮像素子１０、データ処理回路１１及びアクチュエータ１３とをそれぞれ制御して撮影用動作の実行機能を限定した待機動作（この待機動作はスタンバイモードとも呼ばれ、撮影用動作の実行用の初期設定をせずに撮影用動作を再開させ得る動作である）を実行させるようにしても良い。
【０１２７】
このようにすれば、発光直後充電期間において、電源回路６から見たＣＰＵ２（３０）、透過型の液晶ディスプレイ８（又は反射型の液晶ディスプレイ）、バックライト９（又はフロントライト）、固体撮像素子１０、データ処理回路１１及びアクチュエータ１３のインピーダンスがそれぞれ実行機能の限定によって撮影動作時（すなわち、全ての実行機能を何ら限定せずに実現している状態）よりも大きくなり（すなわち、実行機能の限定に応じて動作素子が減少して抵抗値が増加するためにインピーダンスが大きくなり）、当該電源回路６からＣＰＵ２（３０）、透過型の液晶ディスプレイ８（又は反射型の液晶ディスプレイ）、バックライト９（又はフロントライト）、固体撮像素子１０、データ処理回路１１及びアクチュエータ１３に供給する電流を撮影動作用電流よりも低い待機動作用電流に下げることができ、かくして発光直後充電期間における消費電力を上述した実施の形態に比べて大幅に低減させることができる。
【０１２８】
因みに、ＣＰＵ２（３０）、透過型の液晶ディスプレイ８（又は反射型の液晶ディスプレイ）、バックライト９（又はフロントライト）、固体撮像素子１０、データ処理回路１１及びアクチュエータ１３に待機動作を実行させて撮影用動作よりも実行機能を限定するには、それぞれ実現可能な機能に対して種々の限定の仕方があるが、例えば透過型の液晶ディスプレイ８、反射型の液晶ディスプレイ、バックライト９、フロントライト、アクチュエータ１３をそれぞれ個別に待機動作させた場合には、これらに撮影用動作の実行用に供給する撮影動作用電流がもともと比較的高く、待機動作ではこれに応じて供給される待機動作用電流が格段的に低いことにより透過型の液晶ディスプレイ８、反射型の液晶ディスプレイ、バックライト９、フロントライト、アクチュエータ１３の個々の消費電力をそれぞれ低減させて電池７を比較的長い時間使用させることができる。
【０１２９】
また固体撮像素子１０のみを待機動作させると、当該固体撮像素子１０に撮影用動作の実行用に供給する撮影動作用電流がもともと比較的高いものの、待機動作では透過型の液晶ディスプレイ８等に待機動作の実行用に供給する待機動作用電流よりも高い値の待機動作用電流が供給されることにより当該透過型の液晶ディスプレイ８等を待機動作させた場合ほどではないが当該固体撮像素子１０の消費電力を低減させて電池７の使用可能な時間を延ばすことができる。
【０１３０】
さらにＣＰＵ２（３０）及びデータ処理回路１１を個別に待機動作させると、当該ＣＰＵ２（３０）及びデータ処理回路１１に撮影用動作の実行用に供給する撮影動作用電流の値と、待機動作の実行に応じて供給される待機動作用電流の値との差が比較的小さいことにより、固体撮像素子１０を待機動作させた場合ほどではないがＣＰＵ２（３０）及びデータ処理回路１１の個々の消費電力をそれぞれ低減させて電池７の使用可能な時間を延ばすことができる。
【０１３１】
ただしこれらＣＰＵ２（３０）、透過型の液晶ディスプレイ８、反射型の液晶ディスプレイ、バックライト９、フロントライト、固体撮像素子１０、データ処理回路１１及びアクチュエータ１３は、一旦、撮影用動作から待機動作に移行した後に再び撮影用動作に戻す場合、撮影動作用電流の供給開始から撮影用動作を再開するまでの応答性（レスポンス）が格段的に短いもののそれぞれ異なる。
【０１３２】
実際に透過型の液晶ディスプレイ８、反射型の液晶ディスプレイ、バックライト９及びフロントライトはそれぞれ待機動作から比較的短時間で撮影用動作を再開するものの、固体撮像素子１０、データ処理回路１１及びアクチュエータ１３は透過型の液晶ディスプレイや反射型の液晶ディスプレイ等に比べて待機動作から撮影用動作を再開するまでの時間が長く、ＣＰＵ２（３０）はこれら固体撮像素子１０等よりも待機動作から撮影用動作を再開するまでの時間がさらに長い。
【０１３３】
従って発光直後充電期間においては、これらＣＰＵ２（３０）、透過型の液晶ディスプレイ８（又は反射型の液晶ディスプレイ）、バックライト９（又はフロントライト）、固体撮像素子１０、データ処理回路１１及びアクチュエータ１３の全てに待機動作を実行させても良いし、これらの待機動作の実行に応じて供給される待機動作用電流の値（すなわち、図中の電池寿命効果に対応する）及び又は待機動作から撮影用動作に完全に移行するまでの時間（すなわち、図中のレスポンス効果に対応する）に応じてＣＰＵ２（３０）、透過型の液晶ディスプレイ８（又は反射型の液晶ディスプレイ）、バックライト９（又はフロントライト）、固体撮像素子１０、データ処理回路１１及びアクチュエータ１３のうち少なくとも１つに待機動作を実行させることによりこれに応じて待機動作用電流を供給させるようにしても良い。
【０１３４】
そしてこのように発光直後充電期間において、１又は複数のいずれの回路ブロック（すなわち、ＣＰＵ２（３０）、透過型の液晶ディスプレイ８（又は反射型の液晶ディスプレイ）、バックライト９（又はフロントライト）、固体撮像素子１０、データ処理回路１１及びアクチュエータ１３）に対して待機動作を実行させるかについては、ストロボ付デジタルスチルカメラ１に対して予め設定していても良いし、撮影者に任意に選択させても良い。
【０１３５】
また発光直後充電期間においては、各回路ブロックについて撮影動作用電流の供給の停止と、待機動作の実行とを組み合わせて実行するようにしても良く、この場合の組み合わせもストロボ付デジタルスチルカメラ１に対して予め設定していても良いし、撮影者に任意に選択させても良い。
【０１３６】
また上述の実施の形態においては、発光直後充電開始タイミングの直前に液晶ディスプレイ８及びバックライト９に撮影用動作を実行させているときに発光直後充電期間において当該液晶ディスプレイ８及びバックライト９への撮影動作用電流の供給を停止するようにした場合について述べたが、本発明はこれに限らず、ストロボ付デジタルスチルカメラ１に可変電圧型の電源回路６を用いて、発光直後充電開始タイミングの直前に液晶ディスプレイ８及びバックライト９に撮影動作用電圧を印加して撮影動作用電流を供給することにより撮影用動作を実行させているとき、発光直後充電期間において当該液晶ディスプレイ８及びバックライト９（及び又はＣＰＵ２（３０）、反射型の液晶ディスプレイ、フロントライト、固体撮像素子１０、データ処理回路１１及びアクチュエータ１３）に、消費電力の低い低消費電力用動作の実行用に撮影動作用電圧の値よりも低い値の低消費電力動作用電圧を印加することによりこれに応じて上記撮影動作用電流よりも低い低消費電力動作用電流を供給して低消費電力用動作を実行させるようにしても良い。
【０１３７】
そして発光直後充電期間において各回路ブロックに低消費電力用動作を実行させる場合には、当該低消費電力用動作の実行に、撮影動作用電流の供給の停止を組み合わせても良く、このような各回路ブロックに対する低消費電力用動作の実行及び撮影動作用電流の供給の停止の組み合わせについては、ストロボ付デジタルスチルカメラ１に対して予め設定していても良いし、撮影者に任意に選択させても良い。
【０１３８】
さらに上述の実施の形態においては、発光直後充電開始タイミングの直前に液晶ディスプレイ８及びバックライト９に撮影用動作を実行させているときに発光直後充電期間において当該液晶ディスプレイ８及びバックライト９の撮影用動作を強制的に停止させるようにした場合について述べたが、本発明はこれに限らず、ストロボ付デジタルスチルカメラ１に対して起動中に操作部５を介して撮影用動作及び待機動作のいずれを実行させるか否かの動作種別を選択させ得るようにして、発光直後充電開始タイミングの直前に各回路ブロックに待機動作を実行させているときに発光直後充電期間において少なくとも１つの回路ブロックへの待機動作用電流の供給を停止させるようにしても良い。
【０１３９】
またストロボ付デジタルスチルカメラ１において、起動中に操作部５を介して撮影用動作及び低消費電力用動作のいずれを実行させるか否かの動作種別を選択させ得るようにして、発光直後充電開始タイミングの直前に各回路ブロックに低消費電力用動作を実行させているときに発光直後充電期間において少なくとも１つの回路ブロックへの低消費電力動作用電流の供給を停止させるようにしても良い。
【０１４０】
このようにすれば、発光直後充電開始タイミングの直前に各回路ブロックを低消費電力用動作又は待機動作させているときに、これを撮影者による消費電力の低減に対する要求の意思表示として捉えて発光直後充電期間にさらに消費電力の低減が望まれているものとし、少なくとも１つの回路ブロックへの低消費電力動作用電流又は待機動作用電流の供給を停止させて当該低消費電力用動作又は待機動作を強制的に停止させることができ、かくして撮影者の意思に反して回路ブロックの動作が停止することを回避することができる。
【０１４１】
さらに上述の実施の形態においては、ストロボ付デジタルスチルカメラ１の起動中に液晶ディスプレイ８及びバックライト９を動作させるか否かの動作状態を選択させ得るようにした場合について述べたが、本発明はこれに限らず、ストロボ付デジタルスチルカメラ１の起動中に液晶ディスプレイ８及びバックライト９を基本的には常時動作させ、発光直後充電期間でのみ撮影動作用電流の供給を停止して撮影用動作を停止させるようにしても良い。
【０１４２】
さらに上述の実施の形態においては、発光直後充電期間において操作部５を介して入力される液晶ディスプレイ８及びバックライト９に対する動作状態の選択命令を受け付けないようにした場合について述べたが、本発明はこれに限らず、発行直後充電期間において操作部５を介して入力される液晶ディスプレイ８及びバックライト９に対する動作状態の選択命令を受け付けるものの、当該受け付けた選択命令を発光直後充電期間の終了後に実行するようにしても良い。このようにしても、発光直後充電期間において液晶ディスプレイ８及びバックライト９の撮影用動作を確実に停止させることができる。
【０１４３】
さらに上述の実施の形態においては、撮影前充電期間としてカメラ起動時充電期間、モード移行時充電期間及び定期的充電期間を設けるようにした場合について述べたが、本発明はこれに限らず、撮影前充電期間としてカメラ起動時充電期間を除くモード移行時充電期間及び定期的充電期間や、ストロボ付デジタルスチルカメラ１の起動時に撮影モードに設定したときにのみストロボコンデンサを充電する撮影モード設定時充電期間等のように、この他種々の撮影前充電期間を設けるようにしても良い。
【０１４４】
さらに上述の実施の形態においては、ＣＰＵ２がＲＯＭ３に予め格納している動作制御処理プログラムに従って図３について上述した動作制御処理手順ＲＴ１を実行するようにした場合について述べたが、本発明はこれに限らず、動作制御処理プログラムをローカルエリアネットワークやインターネット、デジタル衛星放送等の有線及び無線通信媒体を利用してストロボ付デジタルスチルカメラ１にインストールすることにより動作制御処理手順ＲＴ１を実行するようにしても良いし、当該動作制御処理プログラムが格納されたプログラム格納媒体をストロボ付デジタルスチルカメラ１にインストールすることにより動作制御処理手順ＲＴ１を実行するようにしても良い。
【０１４５】
因みに上述した動作制御処理手順ＲＴ１を実行するための動作制御処理プログラムをストロボ付デジタルスチルカメラ１にインストールして実行可能な状態にするためのプログラム格納媒体としては、例えばフレキシブルディスク、ＣＤ−ＲＯＭ（Ｃｏｍｐａｃｔ  Ｄｉｓｃ−Ｒｅａｄ  Ｏｎｌｙ  Ｍｅｍｏｒｙ  ）、ＤＶＤ（Ｄｉｇｉｔａｌ  Ｖｅｒｓａｔｉｌｅ  Ｄｉｓｃ）等のパッケージメディアのみならず、動作制御処理プログラムが一時的もしくは永続的に格納される半導体メモリや磁気ディスク等で実現しても良い。またこれらプログラム格納媒体に動作制御処理プログラムを格納する手段としては、ローカルエリアネットワークやインターネット、デジタル衛星放送等の有線及び無線通信媒体を利用しても良く、ルータやモデム等の各種通信インターフェースを介して格納するようにしても良い。
【０１４６】
さらに上述の実施の形態においては、本発明によるスチルカメラを図１乃至図５について上述したストロボ付デジタルスチルカメラ１に適用するようにした場合について述べたが、本発明はこれに限らず、ストロボが着脱可能に設けられたデジタルスチルカメラやフィルムに写真画像を露光するストロボ付スチルカメラ又はストロボが着脱可能に設けられたスチルカメラ、さらに固体撮像素子が設けられたパーソナルコンピュータ、固体撮像素子が設けられた携帯電話機、固体撮像素子が設けられたＰＤＡ（Ｐｅｒｓｏｎａｌ  Ｄｉｇｉｔａｌ  Ａｓｓｉｓｔａｎｃｅ  ）等のように、この他種々のスチルカメラに広く適用することができる。
【０１４７】
さらに上述の実施の形態においては、撮影対象の撮影の際に異なる撮影用動作を実行する複数の撮影用動作手段として、図１乃至図３について上述した液晶ディスプレイ８及びバックライト９を適用するようにした場合について述べたが、本発明はこれに限らず、操作部５や図４及び図５について上述した固体撮像素子１０、データ処理回路１１及びアクチュエータ１３等のように、デジタルスチルカメラやスチルカメラに設けられた回路ブロックであれば、この他種々の撮影用動作手段を広く適用することができる。
【０１４８】
さらに上述の実施の形態においては、撮影対象の撮影に合わせて発光して当該撮影対象を照明するストロボとして、図１乃至図５について上述したデジタルスチルカメラ１に設けられたストロボ１５を適用するようにした場合について述べたが、本発明はこれに限らず、デジタルスチルカメラやスチルカメラに着脱可能に装着されるストロボ等のように、この他種々のストロボを広く適用することができる。
【０１４９】
さらに上述の実施の形態においては、各撮影用動作手段にそれぞれ撮影用動作の実行用に撮影動作用電流を供給すると共に、撮影対象の撮影に合わせて発光して当該撮影対象を照明するストロボに撮影対象の撮影に先立つ撮影前充電期間及び撮影に合わせて発光した直後の発光直後充電期間で発光用に充電用電流を供給する定電圧型の電流供給手段として、図１乃至図３について上述した電源回路６、充電切替スイッチ２０、液晶動作切替スイッチ２１、ライト動作切替スイッチ２２を適用するようにした場合について述べたが、本発明はこれに限らず、商用電源に接続された電源回路や、図４及び図５について上述した撮像素子動作切替スイッチ３１、処理回路動作切替スイッチ３２及びアクチュエータ動作切替スイッチ３３等のように、この他種々の電流供給手段を広く適用することができる。
【０１５０】
さらに上述の実施の形態においては、撮影前充電期間及び発光直後充電期間のうち当該発光直後充電期間でのみ少なくとも１つの撮影用動作手段への撮影動作用電流の供給を停止させるように電流供給手段を制御し、及び又は撮影動作用電流よりも低い待機動作用電流で撮影用動作の実行機能を限定した待機動作を実行させるように少なくとも１つの撮影用動作手段を制御する制御手段として、図１乃至図３について上述したＣＰＵ２を適用するようにした場合について述べたが、本発明はこれに限らず、マイクロプロセッサや図４及び図５について上述したＣＰＵ３０等のように、この他種々の制御手段を広く適用することができる。
【０１５１】
さらに上述の実施の形態においては、各撮影用動作手段に撮影用動作を実行させるか否かの動作状態を任意に選択させるための動作状態選択手段として、図１乃至図５について上述した動作状態選択キーを有する操作部５を適用するようにした場合について述べたが、本発明はこれに限らず、タッチパネルやポインティングデバイス等のように、この他種々の動作状態選択手段を広く適用することができる。
【０１５２】
さらに上述の実施の形態においては、各撮影用動作手段に撮影用動作及び待機動作のいずれを実行させるか否かの動作種別を任意に選択させるための動作種別選択手段として、図１乃至図５について上述した操作部５を適用するようにした場合について述べたが、本発明はこれに限らず、タッチパネルやポインティングデバイス等のように、この他種々の動作種別選択手段を広く適用することができる。
【０１５３】
さらに上述の実施の形態においては、撮影用動作として撮影対象の撮影に関する撮影情報を表示する液晶ディスプレイとして、図１乃至図３について上述した撮像動画像を表示する透過型の液晶ディスプレイ８を適用するようにした場合について述べたが、本発明はこれに限らず、図４及び図５について上述した反射型の液晶ディスプレイや、デジタルスチルカメラ及びスチルカメラにおいて撮像動画像を表示する液晶ディスプレイとは別に、シャッタスピード、フィルムの残りコマ数及び電池残量等の撮影情報を表示する液晶ディスプレイ等のように、この他種々の液晶ディスプレイを広く適用することができる。
【０１５４】
さらに上述の実施の形態においては、撮影用動作として液晶ディスプレイを撮影情報の表示中に照明する照明手段として、図１乃至図３について上述したバックライト９を適用するようにした場合について述べたが、本発明はこれに限らず、図４及び図５について上述したフロントライト等のように、この他種々の照明手段を広く適用することができる。
【０１５５】
さらに上述の実施の形態においては、撮影用動作として撮影対象の撮影の際に当該撮影対象を撮像する撮像手段として、図１乃至図５について上述したＣＣＤでなる固体撮像素子１０を適用するようにした場合について述べたが、本発明はこれに限らず、ＢＢＤ（Ｂｕｃｋｅｔ  Ｂｒｉｇａｄｅ  Ｄｅｖｉｃｅ  ）やＣＩＤ（Ｃｈａｒｇｅ  ＩｎｊｅｃｔｉｏｎＤｅｖｉｃｅ  ）でなる固体撮像素子等のように、この他種々の撮像手段を広く適用することができる。
【０１５６】
さらに上述の実施の形態においては、撮影用動作として撮像手段により撮影対象が撮像されることにより得られた撮像信号に所定のデータ処理を施すデータ処理手段として、図１乃至図５について上述したＤＳＰでなるデータ処理回路１１を適用するようにした場合について述べたが、本発明はこれに限らず、画素処理回路等のように、この他種々のデータ処理手段を広く適用することができる。
【０１５７】
さらに上述の実施の形態においては、撮影用動作として撮影対象から撮影時に到来する撮影光を透過させるレンズを移動させて当該撮影対象を撮像手段の所定の結像面に結像させるレンズ駆動手段として、図１乃至図５について上述したストロボ付デジタルスチルカメラ１に設けられたアクチュエータ１３を適用するようにした場合について述べたが、本発明はこれに限らず、スチルカメラに設けられ、撮影対象から撮影時に到来する撮影光を透過させるレンズを移動させて当該撮影対象をフィルムの露光面に結像させるアクチュエータ等のように、この他種々のレンズ駆動手段を広く適用することができる。
【０１５８】
さらに上述の実施の形態においては、各撮影用動作手段にそれぞれ撮影用動作の実行用に撮影動作用電圧を印加して撮影動作用電流を供給すると共に、撮影対象の撮影に合わせて発光して当該撮影対象を照明するストロボに撮影対象の撮影に先立つ撮影前充電期間及び撮影に合わせて発光した直後の発光直後充電期間で発光用に充電用電圧を印加して充電用電流を供給する可変電圧型の電流供給手段として、図１乃至図３について上述した電源回路６、充電切替スイッチ２０、液晶動作切替スイッチ２１、ライト動作切替スイッチ２２を適用するようにした場合について述べたが、本発明はこれに限らず、商用電源に接続された電源回路や、図４及び図５について上述した撮像素子動作切替スイッチ３１、処理回路動作切替スイッチ３２及びアクチュエータ動作切替スイッチ３３等のように、この他種々の電流供給手段を広く適用することができる。
【０１５９】
さらに上述の実施の形態においては、撮影前充電期間及び発光直後充電期間のうち当該発光直後充電期間でのみ少なくとも１つの撮影用動作手段への撮影動作用電圧の印加を停止させて撮影動作用電流の供給を停止させ、及び又は少なくとも１つの撮影用動作手段に撮影用動作よりも消費電力の低い低消費電力用動作の実行用に撮影動作用電圧よりも低い低消費電力動作用電圧を印加させて撮影動作用電流よりも低い低消費電力動作用電流を供給させるように電流供給手段を制御する制御手段として、図１乃至図３について上述したＣＰＵ２を適用するようにした場合について述べたが、本発明はこれに限らず、マイクロプロセッサや図４及び図５について上述したＣＰＵ３０等のように、この他種々の制御手段を広く適用することができる。
【０１６０】
さらに上述の実施の形態においては、各撮影用動作手段に撮影用動作及び低消費電力用動作のいずれを実行させるか否かの動作種別を任意に選択させるための動作種別選択手段として、図１乃至図５について上述した操作部５を適用するようにした場合について述べたが、本発明はこれに限らず、タッチパネルやポインティングデバイス等のように、この他種々の動作種別選択手段を広く適用することができる。
【０１６１】
【発明の効果】
上述のように本発明によれば、定電圧型の電流供給手段から撮影対象の撮影の際に異なる撮影用動作を実行する複数の撮影用動作手段にそれぞれ撮影用動作の実行用に撮影動作用電流を供給すると共に、撮影対象の撮影に合わせて発光して当該撮影対象を照明するストロボに撮影対象の撮影に先立つ撮影前充電期間及び撮影に合わせて発光した直後の発光直後充電期間で発光用に充電用電流を供給し、制御手段により撮影前充電期間及び発光直後充電期間のうち当該発光直後充電期間でのみ少なくとも１つの撮影用動作手段への撮影動作用電流の供給を停止させるように電流供給手段を制御し、及び又は撮影動作用電流よりも低い待機動作用電流で撮影用動作の実行機能を限定した待機動作を実行させるように少なくとも１つの撮影用動作手段を制御するようにしたことにより、起動中に撮影用動作手段が撮影者の意図しないタイミングで撮影用動作を突然停止させることを防止して、撮影者が撮影対象を撮影するという目的を達成した直後の発光直後充電期間においてのみ当該撮影用動作手段への撮影動作用電流の供給を停止し、及び又は少なくとも１つの撮影用動作手段に待機動作を実行させることによりこれに応じて電流供給手段から供給される電流を撮影動作用電流よりも低い待機動作用電流に下げて消費電力を低減させることができ、かくして使い勝手の悪化を極力抑えて消費電力を低減し得るスチルカメラ及びスチルカメラ制御方法を実現することができる。
【０１６２】
また、可変電圧型の電流供給手段から撮影対象の撮影の際に異なる撮影用動作を実行する複数の撮影用動作手段にそれぞれ撮影用動作の実行用に撮影動作用電圧を印加して撮影動作用電流を供給すると共に、撮影対象の撮影に合わせて発光して当該撮影対象を照明するストロボに撮影対象の撮影に先立つ撮影前充電期間及び撮影に合わせて発光した直後の発光直後充電期間で発光用に充電用電圧を印加して充電用電流を供給し、制御手段により撮影前充電期間及び発光直後充電期間のうち当該発光直後充電期間でのみ少なくとも１つの撮影用動作手段への撮影動作用電圧の印加を停止させて撮影動作用電流の供給を停止させ、及び又は少なくとも１つの撮影用動作手段に撮影用動作よりも消費電力の低い低消費電力用動作の実行用に撮影動作用電圧よりも低い低消費電力動作用電圧を印加させて撮影動作用電流よりも低い低消費電力動作用電流を供給させるように電流供給手段を制御するようにしたことにより、起動中に撮影用動作手段が撮影者の意図しないタイミングで撮影用動作を突然停止させることを防止して、撮影者が撮影対象を撮影するという目的を達成した直後の発光直後充電期間においてのみ当該撮影用動作手段への撮影動作用電流の供給を停止し及び又は撮影動作用電流よりも低い低消費電力動作用電流を供給して消費電力を低減させることができ、かくして使い勝手の悪化を極力抑えて消費電力を低減し得るスチルカメラ及びスチルカメラ制御方法を実現することができる。
【図面の簡単な説明】
【図１】本発明によるストロボ付デジタルスチルカメラの全体構成の一実施の形態を示すブロック図である。
【図２】ストロボコンデンサの充電中における液晶ディスプレイ及びバックライトの動作制御の説明に供するブロック図である。
【図３】動作制御処理手順を示すフローチャートである。
【図４】他の実施の形態による発光直後充電期間における動作制御の説明に供するブロック図である。
【図５】他の実施の形態による動作制御に対する消費電力の説明に供する略線図である。
【符号の説明】
１……ストロボ付デジタルスチルカメラ、２、３０……ＣＰＵ、６……電源回路、７……電池、８……液晶ディスプレイ、９……バックライト、１０……固体撮像素子、１１……データ処理回路、１２……レンズ部、１３……アクチュエータ、２０……充電切替スイッチ、２１……液晶動作切替スイッチ、２２……ライト動作切替スイッチ、３１……撮像素子動作切替スイッチ、３２……処理回路動作切替スイッチ、３３……アクチュエータ動作切替スイッチ、ＲＴ１……動作制御処理手順。
【図１】
2004219470.tif 000003
【図２】
2004219470.tif 000004
【図３】
2004219470.tif 000005
【図４】
2004219470.tif 000006
【図５】
2004219470.tif 000007